(57)【特許請求の範囲】
【請求項１】
遊技盤を保持するための遊技盤保持空間を備える第一の機枠と、これと開閉自在に組み付けられた第二の機枠と、前記第一の機枠の前側に、前記遊技盤の少なくとも一部を透視保護するとともに前記第一の機枠に対して開閉自在に組み付けられた第三の機枠と、を有し、施錠機構およびこれを作動させる施錠機構作動部材を備える施錠装置によって前記第一の機枠と第二の機枠との開放、および前記第一の機枠と第三の機枠との開放が規制される遊技機において、
前記施錠装置が、前記第一または第二の機枠を構成する枠部のうち開放により開となる方向に存する開放枠部と、該開放枠部に組み付けられる施錠機構および施錠機構作動部材とから構成され、
前記施錠機構は、前記第一の機枠と第二の機枠との開閉を規制する第一施錠機構、および第一の機枠と第三の機枠との開閉を規制する第二施錠機構を備え、
前記第一の施錠機構は、前記施錠機構作動部材によって駆動される板状の第一施錠杆、および該第一施錠杆から突出して前記第一の機枠と第二の機枠とを施錠する第一鉤片を有し、
前記第二の施錠機構は、前記施錠機構作動部材によって駆動される板状の第二施錠杆、および該第二施錠杆から突出して前記第一の機枠と第三の機枠とを施錠する第二鉤片を有し、
前記第一施錠機構及び第二施錠機構は、前記開放枠部の機外方向側面に組み付けられ、前記第二鉤片は、前記開放枠部に形成された挿通溝を介して前記第三の機枠と係合可能に形成されており、
前記施錠機構作動部材は、前記第一施錠機構および第二施錠機構に駆動力を伝達するカム、前記カムを回転駆動するシリンダ錠、及び、前記カムおよびシリンダ錠を前記開放枠部に結合する取付部を備え、
前記カムは、前記開放枠部に形成された連通部を介して、前記第一の施錠機構及び第二の施錠機構に駆動力を伝達するように形成されていることを特徴とする遊技機。
【請求項２】
第一の機枠の開放枠部の横断面形状が、後側から前側に向かって機外方向に広がる複数の段からなる階段状であって、
前記複数の段は、前記開放枠部の最外側に位置する段と、この最外側の段よりも機内方向内側に位置し、前記第一施錠機構および第二施錠機構が組み付けられる段とを有し、
前記機内方向内側に位置する段には前記挿通溝が形成されており、
前記第二施錠機構の第二鉤片は、前記開放枠部の機外方向から前記挿通溝を介して前記開放枠部の機内方向に臨むように配置されていることを特徴とする請求項１記載の遊技機。
【請求項３】
前記第一施錠機構が、開錠時に前記第一鉤片の駆動を規制する閉鎖規制部材を備えることを特徴とする請求項１又は２記載の遊技機。
【請求項４】
前記閉鎖規制部材は、前記第一施錠杆に形成された規制部と係合可能な規制片と、前記第一の機枠と第二の機枠の施錠時に前記第二の機枠により押圧されて前記規制部と規制片との係合を解除する規制解除部と、前記開放枠部に枢結するピンを挿通可能なピン孔と、を有し、
前記第二の機枠には、前記第一鉤片と係合可能な係合片が形成されており、
前記第一施錠機構は、前記閉鎖規制部材に対して、前記規制片が規制部と係合する方向に付勢力を与える弾性体を備え、
前記第一施錠杆は、
前記第一鉤片と前記係合片との係合が解除される開錠位置まで移動し、前記第一の機枠が第二の機枠から離れる方向に前記係合片が引き出された時に、前記規制片が前記規制部と係合して前記開錠位置でロックされ、前記第一の機枠を前記第二の機枠に押し当てた時に、前記規制解除部が前記係合片によって押圧されて前記規制片と規制部との係合が解除されてロックが解除され、前記弾性体により、前記第一鉤片と前記係合片とが係合する施錠位置まで移動するように構成したことを特徴とする請求項３記載の遊技機。
【請求項５】
前記開放枠部の機内方向側面に、前記遊技盤に配設された電子部品を保護するためのリアパックを回転自在に保持するためのリアパック用ヒンジ機構が取り付けられていることを特徴とする請求項１〜４のいずれかに記載の遊技機。
【請求項６】
前記開放枠部の最外側に位置する段は、第一の機枠と第二の機枠とが閉鎖した状態において、前記第二の機枠の開放枠部の前縁を収容可能に保持するように凹状に形成されていることを特徴とする請求項２〜５のいずれかに記載の遊技機。
【発明の詳細な説明】
【技術分野】
【０００１】
本発明は、パチンコ機等の遊技機に関し、特に遊技盤を保持する第一の機枠と、これと開閉自在に組み付けられる第二の機枠とを施錠する施錠装置を備える遊技機に関する。
【背景技術】
【０００２】
パチンコ機などの遊技機は、縦長の矩形枠状に形成された外枠と、外枠の開口領域に開閉自在に組み付けられて遊技盤を着脱自在に保持する中枠と、さらにその前面に、中枠と開閉自在に組み付けられる前枠などからなる複数の機枠を備えて構成されることが一般的である。これら複数の機枠や遊技盤には、それぞれ遊技用の様々な部品や部材が取り付けられており、また複数の機枠の開閉を規制するための施錠装置は一般に中枠に設けられている。
【０００３】
近年、多様なゲーム性の演出や他の遊技機との差別化を目的として、遊技盤の遊技領域に配設される図柄表示装置や装飾部材が大型化している。これらの部材を大型化するにあたり、遊技領域において遊技球の転動流下する流路が所定以上に狭まることのないよう、遊技領域を拡大することが望まれている。
【０００４】
遊技領域を拡大するには、遊技盤自体を大型化することが必要となるが、そのためには遊技盤を保持する機枠に確保される遊技盤保持空間を拡大しなければならない。これを実現する方法としては、例えば遊技盤が中枠に保持される場合、遊技機の外枠を大きくすることで、これに収納保持される中枠を拡大可能にし、もって中枠の遊技盤保持空間を拡大することが可能である。しかし、遊技店においては遊技機の設置される設置スペース（遊技島）は寸法が規格により一定に定まっているため、外枠の外径寸法を拡大することは避けなければならない。
【０００５】
そこで従来から、外枠の外径寸法を拡大せずに遊技盤保持空間を拡大することを目的とした遊技機の発明がなされている。例えば特許文献１には、外枠の厚みを薄くして、中枠および遊技盤保持空間を拡大することを可能にする遊技機の発明が記載されている。
【０００６】
しかしながら、該文献に記載の遊技機では外枠の厚みを薄くすることでその分の寸法を縮小できたとしても、遊技盤保持空間の拡大という意味ではなお十分なものとは言い難い。なぜならば、遊技盤の強度や取り付け作業性の観点から、フレーム部分の薄型化には限界があるために遊技領域の拡大の余地として多くを期待することができないからであり、また遊技盤保持空間は一般に中枠の枠体に囲まれた閉領域に設けられるところ、この面積を拡大するためには、外枠の薄型化のみならず中枠の枠体の薄型化も検討しなければならないからである。
【０００７】
遊技機を構成する機枠のうち、中枠は一般に上下左右４枚の枠部を組み付けてなる縦長形状であって、かつその中枠が保持する遊技盤はほぼ方形をなしていることから、上下左右の枠部、特に左右の枠部（側枠部）を薄型化することが、より大きな遊技盤を中枠に保持可能にするために必要である。ここで、中枠の側枠部を薄型化するにあたっては、特に中枠に設けられることの多い施錠装置の存在が問題となる。
【０００８】
施錠装置は、一般に開閉自在に組み付けられている中枠と外枠、または中枠と前枠とを開放または閉鎖し、遊技機内部のメンテナンスや遊技球の除去、補充、交換などを可能とする装置である。一般的な施錠装置は、鉤片が設けられた施錠杆等から構成される施錠機構と、これを作動させる施錠機構作動部材と、これらを搭載するための断面Ｌ字状の施錠基材とがユニットとして構成されている（例えば特許文献２参照）。また施錠機構の鉤片と係合する受け部材が、施錠機構とは別に外枠や前枠に設けられている。施錠や開錠の方式は様々であるが、例えばこれらを掛合または解除することで、施錠または開錠を行うことが一般的である。
【０００９】
一般に施錠基材は、断面Ｌ字状のうち遊技者に正対する前面部（搭載面）に施錠機構作動部材を搭載し、側面部（取付面）を中枠の右側面の外部に当接させてネジなどの固定部材により取り付けられる。したがって中枠には、その機枠自体の厚みのみならず、断面Ｌ字状の施錠基材の搭載面の横幅と、さらに施錠基材の取付面の板厚とが加算された大きな厚み分が、遊技盤保持空間として用いることのできない領域（デッドスペース）として確保されてしまい、遊技領域の拡大という近年の要請に十分に応えることができなかった。
【００１０】
【特許文献１】特開２００５−０７３８８１号公報
【特許文献２】特開２００５−１５２３４４号公報
【発明の開示】
【発明が解決しようとする課題】
【００１１】
本発明は以上の問題に鑑みてなされたものであり、機枠の幅寸法のうち遊技盤保持空間として使用可能な空間を拡大し、遊技領域の拡大に貢献することのできる遊技機を提供することを目的とする。
【課題を解決するための手段】
【００１２】
本発明にかかる遊技機は、
（１）遊技盤を保持するための遊技盤保持空間を備える第一の機枠と、これと開閉自在に組み付けられた第二の機枠と、前記第一の機枠の前側に、前記遊技盤の少なくとも一部を透視保護するとともに前記第一の機枠に対して開閉自在に組み付けられた第三の機枠と、を有し、施錠機構およびこれを作動させる施錠機構作動部材を備える施錠装置によって前記第一の機枠と第二の機枠との開放、および前記第一の機枠と第三の機枠との開放が規制される遊技機において、前記施錠装置は、前記第一または第二の機枠を構成する枠部のうち開放により開となる方向に存する開放枠部と、該開放枠部に組み付けられる施錠機構および施錠機構作動部材とから構成され、前記施錠機構は、前記第一の機枠と第二の機枠との開閉を規制する第一施錠機構、および第一の機枠と第三の機枠との開閉を規制する第二施錠機構を備え、前記第一の施錠機構は、前記施錠機構作動部材によって駆動される板状の第一施錠杆、および該第一施錠杆から突出して前記第一の機枠と第二の機枠とを施錠する第一鉤片を有し、前記第二の施錠機構は、前記施錠機構作動部材によって駆動される板状の第二施錠杆、および該第二施錠杆から突出して前記第一の機枠と第三の機枠とを施錠する第二鉤片を有し、前記第一施錠機構及び第二施錠機構は、前記開放枠部の機外方向側面に組み付けられ、前記第二鉤片は、前記開放枠部に形成された挿通溝を介して前記第三の機枠と係合可能に形成されており、前記施錠機構作動部材は、前記第一施錠機構および第二施錠機構に駆動力を伝達するカム、前記カムを回転駆動するシリンダ錠、及び、前記カムおよびシリンダ錠を前記開放枠部に結合する取付部を備え、前記カムは、前記開放枠部に形成された連通部を介して、前記第一の施錠機構及び第二の施錠機構に駆動力を伝達するように形成されていることを特徴とする遊技機；
（２）第一の機枠の開放枠部の横断面形状が、後側から前側に向かって機外方向に広がる複数の段からなる階段状であって、前記複数の段は、前記開放枠部の最外側に位置する段と、この最外側の段よりも機内方向内側に位置する段とを有し、前記機内方向内側に位置する段には前記挿通溝が形成されており、前記第二施錠機構の第二鉤片は、前記開放枠部の機外方向から前記挿通溝を介して前記開放枠部の機内方向に臨むように配置されていることを特徴とする上記（１）記載の遊技機；
（３）前記第一施錠機構が、開錠時に前記第一鉤片の駆動を規制する閉鎖規制部材を備えることを特徴とする上記（１）又は（２）記載の遊技機；
（４）前記閉鎖規制部材は、前記第一施錠杆に形成された規制部と係合可能な規制片と、前記第一の機枠と第二の機枠の施錠時に前記第二の機枠により押圧されて前記規制部と規制片との係合を解除する規制解除部と、前記開放枠部に枢結するピンを挿通可能なピン孔と、を有し、前記第二の機枠には、前記第一鉤片と係合可能な係合片が形成されており、前記第一施錠機構は、前記閉鎖規制部材に対して、前記規制片が規制部と係合する方向に付勢力を与える弾性体を備え、前記第一施錠杆は、前記第一鉤片と前記係合片との係合が解除される開錠位置まで移動し、前記第一の機枠が第二の機枠から離れる方向に前記係合片が引き出された時に、前記規制片が前記規制部と係合して前記開錠位置でロックされ、前記第一の機枠を前記第二の機枠に押し当てた時に、前記規制解除部が前記係合片によって押圧されて前記規制片と規制部との係合が解除されてロックが解除され、前記弾性体により、前記第一鉤片と前記係合片とが係合する施錠位置まで移動するように構成したことを特徴とする上記（３）記載の遊技機；
（５）前記開放枠部の機内方向側面に、前記遊技盤に配設された電子部品を保護するためのリアパックを回転自在に保持するためのリアパック用ヒンジ機構が取り付けられていることを特徴とする上記（１）〜（４）のいずれかに記載の遊技機；
（６）前記開放枠部の最外側に位置する段は、第一の機枠と第二の機枠とが閉鎖した状態において、前記第二の機枠の開放枠部の前縁を収容可能に保持するように凹状に形成されていることを特徴とする上記（２）〜（５）のいずれかに記載の遊技機；
を要旨とする。
【発明の効果】
【００１３】
従来の遊技機における施錠装置では、断面Ｌ字状の施錠基材に施錠機構と施錠機構作動部材とを組み付けてユニット化し、これを、開閉するいずれかの機枠のうち、開放側に位置する枠部（開放枠部）に取り付ける構成をとっていた。一方、本発明にかかる遊技機においては、開放枠部に施錠機構と施錠機構作動部材とを直接取り付けて施錠装置を構成することにより、施錠基材を不要とすることができる。
これにより、施錠基材の取付面の厚さと、これを開放枠部に結合するために従来必要であった取付座の厚さに相当するデッドスペースを削減し、中枠において遊技盤保持空間として使用可能な面積を拡大することが可能となる。
またこの結果、施錠基材、および上記の取付座や緊締具などの部品点数を削減することができ、機体の製造、組立コストの削減が図られる。
【発明を実施するための最良の形態】
【００１４】
以下、本発明を実施するための最良の形態につき、図面を用いて具体的に説明する。本実施の形態では、遊技球としてパチンコ球を用いて遊技を行うパチンコ機を例示する。ただし本発明にかかる遊技機は、開閉自在な第一および第二の機枠を少なくとも有し、その開放が施錠装置にて規制されるものであれば広く対象とすることができ、例えば、スロットマシンや、パチンコ球を使用したスロットマシンなどを挙げることができる。
【００１５】
図１は、本発明の実施の形態にかかる遊技機の正面図である。１はパチンコ機、３は外枠、４は前枠、１５は遊技盤、１１ａ乃至１１ｄはそれぞれヒンジ機構である。遊技者は、紙面手前側よりパチンコ機１に正対して遊技を行うことが通常である。したがって、本発明において、「前」、「後」、「上」、「下」、「左」、「右」とは、特に断りのない限り、図１に示すようにパチンコ機１を正面から見た状態における手前側、奥側、上側、下側、左側、右側をそれぞれ意味するものとする。
【００１６】
パチンコ機１は、打球装置４３により遊技球を遊技領域に打ち出し、図示しない入賞装置にこれを入賞させることで賞球（新たな遊技球）を得る遊技機である。賞球は上皿４１や下皿４２に払い出され、所定量が貯留される。
パチンコ機１は一般に、前枠４、外枠３および同図には図示しない中枠からなる三つの機枠を備えている。また中枠と前枠４、および中枠と外枠３とは、ヒンジ機構１１ａ乃至１１ｄを回転軸としてそれぞれ互いに開閉自在に組み付けられて、パチンコ球の供給／排出、釘の調整、および機器のメンテナンス等の作業を容易にしている。同図においては、ヒンジ機構の設けられていない右側が、機枠の開放により開となる方向、すなわち開放側にあたる。前枠４と上皿４１とは一体に成形され、ヒンジ機構１１ａおよび１１ｂを両端とする回転軸により中枠と開閉自在に組み付けられている。また、下皿４２は、前枠４とは別部材からなり、ヒンジ機構１１ｃおよび１１ｄを両端とする回転軸により、中枠と開閉自在に組み付けられている。
【００１７】
図２は、ヒンジ機構１１ａと１１ｄとを回転軸の両端として、中枠２と外枠３とを開放した状態を示す斜視図である。中枠２の開放側、および外枠３の開放側をそれぞれ矢印にて示す。同図では、前枠４および下皿４２と中枠２とは開放されておらず、これらが閉鎖されて一体となった状態で、外枠３との間での開放が行われている。
【００１８】
ここで、各機枠の構成と機能について説明する。
前枠４は、遊技盤１５に区画形成された遊技領域を透視保護する機枠である。パチンコ機１の前面に位置して遊技者にもっとも視認されやすい機枠であるため、遊技盤１５とともに意匠性に富むよう形成される。また前枠４は、上皿４１のほか、装飾用または表示機能用のランプ、ボタン類、透明の保護部材などからなることが一般的である。前枠４と下皿４２とは別部材として形成し、それぞれ独立して中枠２と開閉可能とすることでメンテナンス性が向上するが、下皿４２を前枠４と一体に形成することも可能である。
【００１９】
中枠２は、図３に斜視図を示すように、上枠部２２、下枠部２３、軸側枠部２４および中枠開放側枠部２５を矩形枠状に組み合わせてなることが一般的である。該矩形枠の内部に形成される遊技盤保持空間２１（斜線を付す）には遊技盤１５の収納保持が可能である。また中枠２の背面側には、遊技機が並設される遊技設備から補給されるパチンコ球を貯留するための球タンク１６や、遊技盤に配設された図柄表示装置や基板等の電子部品を保護するためのリアパック１７が突出して設けられている（図２参照）。
【００２０】
本発明にかかる中枠２においては、中枠開放側枠部２５は、施錠機構６、および施錠機構作動部材を構成するシリンダ錠７０が組み付けられて、これらとともに施錠装置５を構成している。なお、本発明においては、例えば上枠部２２に球タンク１６を一体成型し、リアパック１７を両側枠部２４，２５に取り付けることも可能である。
【００２１】
外枠３はパチンコ機１の外郭をなし、遊技機島などの設置台への取付インタフェースを備える機枠である。一般に、外枠３は上下左右の４枚の枠部により矩形枠状に構成され、該矩形枠の内部に中枠２を収納保持可能である。また、前枠４は外枠３の前記矩形枠の内部に収納保持されるか、または外枠３の前面に当接するよう設けられている。図２に示す本実施の形態において、外枠３の開放側（図中右側）に位置する枠部を外枠開放側枠部３５とする。なお、外枠３の外形寸法の上限は規格により決定されている一方で、遊技盤１５およびこれに略円形に区画形成されてなる遊技領域を大きくして多様な演出による遊技性の増大や、他のパチンコ機との差別化に資することが望まれていることから、外枠３を構成する枠部が遊技盤１５や遊技領域の面積を極力圧迫しないことが好ましい。
【００２２】
本発明は、施錠装置５と、これにより互いの開放が規制される第一および第二の機枠を有する遊技機に関するものであって、第一・第二の機枠が、それぞれ前枠４、中枠２または外枠３のいずれに対応してもよい。本実施の形態では、遊技盤保持空間２１を備える機枠が中枠２である態様を例示していることから、中枠２が第一の機枠に相当する。また中枠２と外枠３、および中枠２と前枠４とはいずれもヒンジ機構１１ａ乃至１１ｄにより開閉自在に組みつけられ、かつ施錠装置５にてその開放が規制されることから、前枠４または外枠３のいずれもが第二の機枠に相当し得る。
また本発明は、第一または第二の機枠を構成する枠部のうち、開放側に位置する開放枠部に施錠機構６およびシリンダ錠７０に例示される施錠機構作動部材が組み付けられて施錠装置を構成することを特徴とするところ、本実施の形態では第一の機枠である中枠開放側枠部２５が、かかる開放枠部に相当している。
【００２３】
ただし遊技機の態様によっては、例えば、
１）外枠開放側枠部３５の機内方向（内側）の側面に施錠機構６や施錠機構作動部材が設けられて施錠装置５が形成される場合；
２）中枠２または外枠３の下枠部の左右両端に回転軸となるヒンジが設けられ、上枠部を開放枠部として開閉する場合；
も想定し得るなど、機枠同士の開閉の方式や開放枠部に該当する枠部がいずれであるか等は、本実施の形態に限られるものではない。よって、本発明にかかる開放枠部は本実施の形態で例示した中枠開放側枠部２５には限られない。上記１）の場合は外枠開放側枠部３５が、２）の場合は中枠２または外枠３の上枠部が、それぞれ開放枠部に相当することとなる。
【００２４】
また本発明にかかる遊技機は、第一の機枠の前側に、遊技盤の少なくとも一部を透視保護する第三の機枠が開閉自在に組み付けられていることが遊技盤１５や遊技球の保護の観点から好ましい。本実施の形態においては前枠４が第三の機枠に相当するが、遊技機の態様によってこれに限られないことは上記と同様である。
【００２５】
図４は、本実施の形態にかかる遊技機の分解斜視図であり、左手前から前枠４、遊技盤１５、中枠２、外枠３を部材ごとに分解した状態を示している。４４はカバー部材、４５はこれに穿設されたシリンダ錠７０の挿通孔であり、いずれも中枠２の下枠部２３の前面側に組み付けられる。前枠４および遊技盤１５はそれぞれ一の部材として取り扱うことができるように形成されている。中枠２および外枠３は、それぞれコーナー補強材や緊締具を用いて、４つの枠部より縦長矩形状の機枠が組み上げられてなる。中枠２の遊技盤保持空間２１に前面側より遊技盤１５を嵌め入れて固定し、また同図には図示しない球タンク１６やリアパック１７を中枠２の裏面側に突出して取り付ける。また中枠２の前面側には打球装置４３およびカバー部材４４も取り付けておく。かかる状態から、外枠３の軸側枠部３４の上下に設けられたヒンジ機構１１ａと１１ｄに対して中枠２の軸側枠部２４を軸着し、両者を回転自在に組み付ける。さらに中枠２のヒンジ機構１１ａと１１ｂとの間に前枠４を、中枠２のヒンジ機構１１ｃと１１ｄとの間に下皿４２を、それぞれ軸着してパチンコ機１は組み立てることができる。
【００２６】
第三の機枠を第一の機枠の前側に有する本実施の形態においては、施錠機構６は、第一および第二の機枠の開閉を規制する機能を有する第一施錠機構と、第一の機枠と第三の機枠との開閉を規制する機能を有する第二施錠機構とを備えている。これにより、例えば第一の機枠と第二の機枠とを閉鎖したまま、これらを第三の機枠との間で開放することができるなど、各機枠の開放または閉鎖のパターンの自由度が向上するため好適である。
【００２７】
施錠装置５の具体例を図５に斜視図にて示す。同図（ａ）は、中枠開放側枠部２５を含む施錠装置５を右手前側から見た右斜視図、同図（ｂ）は（ａ）に示す円Ｘ部の拡大図、同図（ｃ）は施錠装置５を左手前側から見た左斜視図である。図５（ｂ）に示す中枠開放側枠部２５の断面形状については後述する。
【００２８】
中枠開放側枠部２５には、後方に突出する二つの中枠鉤片６０１ａ，ｂを有する第一施錠機構６０と、前方に突出する三つの前枠鉤片６２１ａ，ｂ，ｃを有する第二施錠機構６２とがいずれも組み付けられている。中枠鉤片６０１ａ，ｂは、中枠２と外枠３とを施錠するための係合片であり、前枠鉤片６２１ａ，ｂ，ｃは、中枠２と前枠４とを施錠するための係合片である。また、中枠開放側枠部２５の機内方向側面には、リアパック１７を回転自在に保持するためのリアパック用ヒンジ機構１７１ａ，１７１ｂが取り付けられている。これにより、リアパック１７を遊技盤１５の裏面ではなく中枠２に取り付けが可能となり、遊技盤１５に設けられる液晶装置やセンター役物などの装飾部材とリアパック１７との干渉が防止できるため、遊技盤に対する装飾部材その他の遊技部材の配設領域を拡大可能である。
【００２９】
また本実施の形態においては、施錠機構作動部材７の具体例たるシリンダ錠７０が中枠開放側枠部２５の機内方向側面に取付部７２を介して組み付けられている。本発明は、施錠機構作動部材７を開放枠部に組み付けることを特徴とする。これにより、従来のように施錠機構作動部材７を施錠基材に組み付けたユニットを中枠２に取り付ける場合と異なり、施錠機構作動部材７の組み付け位置を自在に調整可能である。
【００３０】
図６は、中枠２を外枠３に収納し、これらを施錠する様子を示す斜視図である。ただし同図では中枠２については、施錠装置５、およびその一部を構成する中枠開放側枠部２５のみを図示し、その他の枠部や遊技盤１５などの被保持物は省略している。外枠開放側枠部３５の機内方向側面には、二つの係合片３５１ａ，ｂと押圧片３５２とが突出して設けられている。中枠２と外枠３とを施錠する際には、外枠３の係合片３５１ａ，ｂを中枠開放側枠部２５の開口部６０２ａ，ｂに導き、スリット６０３ａ，ｂ内に収容したところで、係合片３５１ａ，ｂと中枠鉤片６０１ａ，ｂとを係合する。かかる係合は、施錠機構作動部材７および弾性体６１０を駆動力として行うことができる。逆に中枠２と外枠３とを開錠する際は、施錠機構作動部材７の駆動力によって中枠鉤片６０１ａ，ｂを降下させ、係合片３５１ａ，ｂとの係合を解除することで行われる。
【００３１】
図７は図６に示す施錠装置５の分解斜視図である。上述のように施錠装置５は、施錠機構６と、中枠開放側枠部２５と、施錠機構作動部材７とを備える。本実施の形態においては、施錠機構６は、中枠２と外枠３との開放を規制する第一施錠機構６０と、中枠２と前枠４との開放を規制する第二施錠機構６２とを有し、第一および第二施錠機構６０，６２は、ともに中枠開放側枠部２５に組み付けられ、ひとつのシリンダ錠７０によって駆動される。また第一および第二施錠機構６０，６２は、遊技球や遊技盤側部との干渉を防止するため、中枠開放側枠部２５の機外方向側面に組み付けられている。
本実施の形態においては、中枠開放側枠部２５により近い位置に第一施錠機構６０が設けられ、その外側に第二施錠機構６２が設けられてなる状態を例示しているが、これに限られるものではなく、第一および第二施錠機構６０，６２はいずれを外側としてもよく、また両者をパチンコ機１の前後方向（奥行方向）に並べて設けることもできる。
【００３２】
本実施の形態にかかる第一施錠機構６０は、後方に突出する二つの中枠鉤片６０１ａ，ｂと、これらを連結してともに昇降させる板状の第一施錠杆６０５とを有する。また第一施錠杆６０５の下端部には前方に突出する規制部６０６が、中間部にはピン孔６０７が、それぞれ設けられている。中枠鉤片６０１ａ，ｂの先端にはそれぞれ折り返しを設けるとともに上端を前側に傾斜させている。これは、中枠２と外枠３とを施錠する際に、予め第一施錠杆６０５を手または施錠機構作動部材７によって押し下げて開口部６０２ａ，ｂを開いておかなくとも、外枠３の係合片３５１ａ，ｂ（図６参照）が中枠鉤片６０１ａ，ｂを押し下げながら開口部６０２ａ，ｂに導入されることを可能にするためである。
【００３３】
また、第一施錠機構６０の良好な機械特性と耐久性、および部品点数の削減や加工コストの低減の観点から、中枠鉤片６０１ａ，ｂ、第一施錠杆６０５および規制部６０６は金属板材料により一体に形成することが好ましい。
【００３４】
第二施錠機構６２もまた板状をなし、前方に突出する三つの前枠鉤片６２１ａ，ｂ，ｃと、これらをつなぐ第二施錠杆６２５とを有し、また第二施錠杆６２５の中間部には後方に突出する指先操作部６２６が、さらに下端部の前面側には機内方向側に突出する突片６２７が、それぞれ設けられている。第一施錠機構６０と同様の理由により、これらは金属板材料により一体に形成することが好ましい。
【００３５】
なお、本実施の形態おいては、中枠鉤片６０１ａ，ｂおよび前枠鉤片６２１ａ，ｂ，ｃの個数はそれぞれ二つおよび三つとしているが、外枠３および前枠４が中枠２に対して十分な強度で施錠可能である限りこれらの個数は限定されるものではない。また本実施の形態においては中枠鉤片６０１ａ，ｂは上向きの鉤状に、前枠鉤片６２１ａ，ｂ，ｃは下向きの鉤状に形成されているが、外枠３または前枠４に設けられる受け側の係合部の形状や位置によっては他の形状を採り得ることは当然である。
【００３６】
第一および第二施錠機構６０，６２を中枠開放側枠部２５の長手方向に沿って昇降駆動する施錠機構作動部材７の例として、図７では、カム７１と、これを回転駆動するシリンダ錠７０と、これらを緊締具（例えば、ネジ）などを用いて中枠開放側枠部２５に結合する取付部７２からなる構成を示している。
【００３７】
シリンダ錠７０は、施錠機構６を昇降駆動させるのに十分なトルクをカム７１に与えるため、一般に所定の径を要するものである。またシリンダ錠７０に鍵を挿入してこれを回転させる態様が一般に想定されるところ、シリンダ錠７０はパチンコ機１から前側に突出または指向するように設けることが作業性の観点から好ましい。遊技店においてパチンコ機１は遊技機島とよばれる設置台に横並びで取り付けられることが通常であるが、隣接するパチンコ機との間隔は非常に狭いため、シリンダ錠７０をパチンコ機１の側方に突出または指向させ、その外側から鍵を挿入してシリンダ錠７０を回転させることは困難だからである。一方、シリンダ錠７０をパチンコ機１の下方または上方に突出または指向させることは、作業者のアクセス性が著しく劣るため好ましくない。
【００３８】
所定の幅寸法を有するシリンダ錠７０をパチンコ機１の前面に配設することが好適である一方、中枠２の遊技盤保持空間２１を拡大し、遊技者に広い遊技領域を提供するという本発明の目的をより好適に達成するためには、シリンダ錠７０を中枠開放側枠部２５の機内方向側面であって、かつ遊技盤保持空間２１と干渉しない位置に取り付けることが特に好ましい。従来のように、ユニット化された施錠装置をパチンコ機に組み付ける場合、断面Ｌ字状の施錠基材のうち、側面部の板厚に加え、遊技者に正対する幅広の搭載面もまたデッドスペースとなって遊技盤保持空間２１の拡大を阻害していたところ、本実施の形態にかかるパチンコ機１においては、この両者を不要とし、かかるデッドスペースを排除することが可能となる。また、中枠開放側枠部２５に対して施錠機構６と施錠機構作動部材７とを反対側に設けることにより、施錠および開錠の操作時にも互いの駆動部分の干渉を避けることができる。
【００３９】
遊技盤保持空間２１は、遊技者の視線の高さに合わせてパチンコ機１の中央から上方にかけて設けられることが一般的であるため、具体的には、シリンダ錠７０は遊技盤保持空間２１の下方に設けることが好ましいといえる。ただし、シリンダ錠７０の配設位置については、中枠開放側枠部２５の機内方向側面であって遊技盤保持空間２１の外部であるならばその下方に限らず、上方であってもよい。後者の場合、パチンコ機１の右上コーナー部近傍に位置することとなり、遊技店におけるシリンダ錠７０の視認性が向上し、防犯性が高まるという効果がある。
【００４０】
シリンダ錠７０によって回転駆動されるカム７１は、中枠開放側枠部２５に設けられた連通部２５１を介して中枠開放側枠部２５の機外方向側面に組み付けられた第一および第二施錠機構６０，６２に駆動力を伝達するようになっている。カム７１は、第一施錠機構６０を駆動する第一突片７１１と、第二施錠機構６２を駆動する第二突片７１２とを備える。ただしカム７１がシリンダ錠７０によって回転する際に第一突片７１１が描く回転面と、第二突片７１２が描く回転面とは、パチンコ機１の奥行方向に若干オフセットしている。本実施の形態においては、図７に示すカム７１においては、第一突片７１１が奥側に、第二突片７１２が手前側に突出して構成されている。なお、連通部２５１の形状は特に限定されず、第一突片７１１および第二突片７１２をともに挿通させて駆動可能とする幅広のスリットもしくは切欠、またはそれぞれの突片ごとに挿通可能な二つの孔によって構成してもよい。
【００４１】
第一施錠杆６０５には、第一突片７１１の回転面に対応する位置に第一突片押下部６０８が設けられ、また第二突片７１２の回転面に対応する位置に、切欠６０９が設けられ、第二突片７１２との干渉を防いでいる。一方、第二施錠杆６２５には、第二突片押上部６２８が設けられるとともに、その奥側には第一突片７１１の先端部との干渉を防ぐためのスリットが設けられている。なお、図７では、第一突片押下部６０８および第二突片押上部６２８はスリット状の切り欠きによって形成されているがこれに限られず、例えば第一および第二施錠杆６０５，６２５から突出する係合片を設けてもよい。
【００４２】
施錠された中枠２と外枠３とを開錠する方法について以下説明する。
中枠鉤片６０１ａ，ｂが開口部６０２ａ，ｂやスリット６０３ａ，ｂと重なる位置（以下、施錠位置という）にあって、スリット６０３ａ，ｂに外枠３の係合片３５１ａ，ｂ（同図には図示せず）が収納された施錠状態において、シリンダ錠７０を正面視時計回りに回転させると、第一突片７１１は第一施錠杆６０５の第一突片押下部６０８に当接し、さらにこれを下方に押し下げる。すると中枠鉤片６０１ａ，ｂはこれと連動し、開口部６０２ａ，ｂやスリット６０３ａ，ｂから下にスライドした位置（以下、開錠位置という）に押し下げられる。これにより、係合片３５１ａ，ｂはスリット６０３ａ，ｂからの離脱が可能となり、中枠２と外枠３とが開錠されることとなる。
【００４３】
次に、中枠２と前枠４とを施錠および開錠する方法について以下説明する。
前枠４には、前枠鉤片６２１ａ，ｂ，ｃに対応する位置に、３つの挿通溝６２３ａ，ｂ，ｃ（図５参照）が設けられている。シリンダ錠７０を正面視反時計回りに回転させ、カム７１に同方向のトルクを与えると、第二突片７１２は第二施錠杆６２５の第二突片押上部６２８と当接し、これを上方に押し上げる。すると前枠鉤片６２１ａ，ｂ，ｃも第二施錠杆６２５と連動して開錠位置まで押し上げられて前枠４の挿通溝６２３ａ，ｂ，ｃへの滑らかな挿脱が可能となる。また、前枠４と中枠２とを閉鎖した状態でシリンダ錠７０のトルクを開放すれば、弾性体６１１の弾性復元力により第二施錠杆６２５が施錠位置に戻り、前枠鉤片６２１ａ，ｂ，ｃ下部に突出する係合部が前枠４の挿通溝６２３ａ，ｂ，ｃと下縁と係合し、施錠が行われる。なお、図７に示すように、前枠鉤片６２１ａ，ｂ，ｃの下部側を奥行方向に傾斜させておくことで、作業者はシリンダ錠７０の操作によりカム７１にトルクを与えなくとも、前枠４を中枠２に押し当てるだけで両者を施錠することができる。前枠４の挿通溝６２３ａ，ｂ，ｃの下縁が、前枠鉤片６２１ａ，ｂ，ｃの前記傾斜部を滑らかに押し上げつつこれらを挿通溝に導入可能となるからである。また、中枠２と外枠３とが開放された状態で、さらに中枠２から前枠４を開放する場合は、作業者は指先操作部６２６を手で押し上げることで前枠鉤片６２１ａ，ｂ，ｃと前枠４の挿通溝の下縁との係合を解除することができる。
【００４４】
施錠機構６は、第一および第二施錠機構６０，６２のほか、さらに開放規制部材および閉鎖規制部材を備える。開放規制部材は、中枠２と外枠３とが閉鎖された状態で、第一施錠杆６０５が施錠位置から開錠位置に向かう移動を規制する部材である。また閉鎖規制部材は、中枠２と外枠３とが開放された状態で、第一施錠杆６０５が開錠位置から施錠位置に向かう移動を規制する部材である。
【００４５】
図７に示すように、開放規制部材は、開放規制部材６５ａおよびｂの二つの部材からなる。開放規制部材６５ａは、弾性体６１０の上端を係止し、ピン孔６５０と、共に後方に突出する被押圧片６５１およびストッパー片６５２とを有する。また開放規制部材６５ｂは、弾性体６１０の下端を係止し、ストッパー片６５２と当接可能なストッパー当接部６５３と、カム７１の第一突片７１１が押し下げ可能な第一突片当接部６５４と、ピン６７により第一施錠杆６０５のピン孔６０７と枢結されるピン孔６５５とを有する。
閉鎖規制部材６６は、第一施錠杆６０５下端の規制部６０６と係合可能な規制片６６１と、中枠２と外枠３の施錠時に外枠３により前方に押圧される規制解除部６６２と、ピン６８ｃにより中枠開放側枠部２５と枢結されるピン孔６６３とを有する。
【００４６】
第一施錠杆６０５および第二施錠杆６２５は、ピン６８ａ乃至ｃを用いて、ともに中枠開放側枠部２５に対して昇降可能かつ摺動可能に組み付けられる。これらの部材を連結するピン６７および６８ａ乃至ｃは、レイカール工法により設けられることが好適である。
【００４７】
図８乃至図１０を用いて、開放規制部材６５ａ，ｂと閉鎖規制部材６６の作動する仕組みについてさらに詳細に説明する。図８（ａ）乃至（ｃ）は、施錠装置５の機外方向側面図であり、（ａ）は中枠閉鎖時、（ｂ）は中枠開放操作時、（ｃ）は中枠開放時をそれぞれ示す。また、図８（ａ）乃至（ｃ）中に示す円Ｙ１乃至Ｙ５の拡大図をそれぞれ図９（ａ）乃至（ｅ）に示す。なお、図１０（ａ）乃至（ｃ）は、それぞれ図８（ａ）乃至（ｃ）の透過図である。
【００４８】
図８（ａ）および図１０（ａ）に示す中枠閉鎖時においては、中枠鉤片６０１ａ，ｂはともに施錠位置に押し上げられて、スリット６０３ａ，ｂに収納された外枠３の係合片３５１ａ，ｂ（同図には図示せず）と係合しその離脱を抑制している。また、中枠２と外枠３とを閉鎖する際に、外枠３の押圧片３５２（同図には図示せず）は、開放規制部材６５ａの被押圧片６５１をパチンコ機１の前方に押圧する。ピン孔６５０で中枠開放側枠部２５に枢結されている開放規制部材６５ａは、被押圧片６５１が前方（同図における左側）に押圧されることにより、ストッパー片６５２は逆にパチンコ機１の後方に突出する（図９（ａ）参照）。これによりストッパー片６５２は、開放規制部材６５ｂが下降スライドしようとした場合にストッパー当接部６５３と係合することとなり、開放規制部材６５ｂおよびこれとピン６７（図７参照）により連結する第一施錠杆６０５の下降運動を規制するストッパーとして機能する。したがって、中枠２と外枠３とが閉鎖した状態では、中枠鉤片６０１ａ，ｂの昇降は規制され、係合片３５１ａ，ｂとの係合が保持される。
【００４９】
また、図９（ｂ）に示すように、中枠閉鎖時には、閉鎖規制部材６６の規制解除部６６２は外枠３の係合片３５１ｂにより前方に押圧されている。よって閉鎖規制部材６６はピン６８ｃを中心に、同図において時計回りに傾き、規制片６６１は前方に突出している。したがって、かかる中枠閉鎖時には、規制片６６１と第一施錠杆６０５の規制部６０６とは係合しておらず、中枠鉤片６０１ａ，ｂが施錠位置へと上昇スライドすることを規制する閉鎖規制部材６６のストッパー機能は作用していない。なお、閉鎖規制部材６６がピン６８ｃを中心に時計回りに傾くと、ピン６８ｃよりも後方に端部を連結している弾性体６１１には引張方向の荷重が負荷される。よって係合片３５１ｂにより規制解除部６６２が前方に押圧された同図の状態においては、閉鎖規制部材６６は全体に反時計回りに弾性復元力を付勢されているといえる。
【００５０】
なお、遊技機島に並設される複数台のパチンコ機１の中枠をそれぞれの外枠から一斉に開放する一斉開錠装置を設ける場合などは、押圧片３５２の押圧による開放規制部材６５ａの上記開放規制機能は不要となる。かかる場合に押圧片３５２を外枠３より除去可能とするため、押圧片３５２は外枠３に対してネジなどにより着脱可能に設けられることが好適である。一方、係合片３５１ａ，ｂについては、不正な取り外しを防止するため、かしめピンにより固定することが好ましい。
【００５１】
図８（ａ）に示す中枠閉鎖状態から、シリンダ錠７０を操作して正面視時計回りにカム７１を回転させると、中枠２と外枠３とが開放される。具体的には、まず、第一突片７１１が開放規制部材６５ｂの第一突片当接部６５４をパチンコ機１の後方（同図における右側）に押し上げることで、ストッパー当接部６５３とストッパー片６５２との係合を解除し、第一施錠杆６０５および中枠鉤片６０１ａ，ｂの昇降が可能となる（図９（ｃ）参照）。
カム７１を同方向にさらに回転させると、第一突片７１１は第一施錠杆６０５の第一突片押下部６０８を押し下げ、中枠鉤片６０１ａ，ｂが開錠位置にスライドする（図８（ｂ）および図１０（ｂ）参照）。これにより中枠鉤片６０１ａ，ｂと係合片３５１ａ，ｂとの係合が解除され、係合片３５１ａ，ｂがスリット６０３ａ，ｂから後方に離脱可能となる。したがって、中枠２と外枠３とが閉鎖した状態から、シリンダ錠７０を正面視時計回りに回転させ、そのままシリンダ錠７０とともに中枠２を外枠３より引き出せば、両機枠は開放される。
【００５２】
両機枠の開放が可能となる図８（ｂ）の状態からさらに中枠開放操作を進め、シリンダ錠７０を十分に回転させて第一施錠杆６０５を開錠位置の最下方までスライドさせると、第一施錠杆６０５下端部の規制部６０６は閉鎖規制部材６６よりも下方に突出する（図８（ｄ）参照）。一方、規制解除部６６２が前方に押し込まれた状態においては、上述のように閉鎖規制部材６６は弾性体６１１により反時計回りの付勢力が与えられている。したがって、第一施錠杆６０５を開錠位置まで下降スライドさせ、さらに外枠３とともに係合片３５１ｂをスリット６０３ｂより後方に引き出すと、閉鎖規制部材６６の規制片６６１は後方に引き戻されて第一施錠杆６０５の規制部６０６と係合してこれをロックする（図９（ｅ）参照）。よって、その後作業者がシリンダ錠７０へのトルクを解除したとしても、かかるロックにより第一施錠杆６０５が弾性体６１０に引っ張られて上方にスライドすることはなく、開錠位置において第一施錠機構６０が保持される（図８（ｃ）および図９（ｃ）参照）。
【００５３】
次に、開放された中枠２と外枠３とを閉止し、両機枠を施錠する仕組みについて説明する。図８（ｃ）に示す中枠開放状態から、シリンダ錠７０のトルクを解除し、さらに中枠２を外枠３に収納するよう押し当てると、閉鎖規制部材６６の規制解除部６６２は、スリット６０３ｂに導入されてきた外枠３の係合片３５１ｂによってパチンコ機１の前方に押圧され、規制片６６１と規制部６０６との係合が解除される。一方、第一施錠杆６０５が開錠位置に下降スライドしたことで弾性体６１０には引張方向に荷重が負荷されていたところ、規制片６６１によるロックが解除された第一施錠杆６０５は、弾性体６１０の弾性復元力により施錠位置まで引き上げるため、中枠鉤片６０１ａ，ｂと係合片３５１ａ，ｂとは係合し、中枠２と外枠３とが施錠される。また、中枠２を外枠３に押し当てたことにより、外枠３の押圧片３５２によって、中枠２の被押圧片６５１もまたパチンコ機１の前方に押圧されるため、上述したように開放規制部材６５ａのストッパー片６５２とストッパー当接部６５３とが係合し、中枠２と外枠３との開放が規制されることとなる（図８（ａ）および図９（ａ）参照）。
【００５４】
以上のように、閉鎖された中枠２と外枠３とはシリンダ錠７０を正面視時計回りに回転操作をすることで開錠され、また中枠鉤片６０１ａ，ｂは閉鎖規制部材６６の働きによって開錠位置にて保持される。一方、かかる開錠位置にて保持された中枠鉤片６０１ａ，ｂは、中枠２を外枠３に収容してこれに押し当てることにより、係合片３５１ａ，ｂと係合して両機枠を施錠するとともに、開放規制部材６５ａ，ｂの働きによって施錠位置にて保持される。
【００５５】
次に、本実施の形態にかかる中枠開放側枠部２５の特徴について、図５（ｂ）および（ｃ）を用いて以下説明する。
本実施の形態にかかる中枠開放側枠部２５は、複数の段からなる階段状の横断面形状を有する板材料よりなる。かかる階段状の横断面は、パチンコ機１の後側から前側に向かって機外方向に広がる方向に形成されているとよい。また、段２５２には第一および第二施錠機構６０，６２が組み付けられ、さらに機外方向の最も外側に位置する段２５３には、後側より、同図には図示しない外枠の前縁を収納保持可能である。なお、段２５２に組み付けられる第二施錠機構６２が前枠４との間で施錠を行う必要があることから、段２５２のうち少なくとも前枠鉤片６２１ａ，ｂ，ｃに対応する位置には、これらを挿通する挿通溝６２３ａ，ｂ，ｃが打ち抜き形成されている。施錠機構６を段２５２の内部に収納する構成としたことで、機枠の開閉時に施錠機構６が外枠３や前枠４と干渉することがなく、また昇降駆動する第一および第二施錠杆６０５，６２５が左右方向にぶれることなく段２５２の内壁面に沿って摺動可能となる。
なお、中枠開放側枠部２５の横断面の階段形状は、同図に示すように前側に向かって機外方向に広がるもののほか、逆に前側に向かって一部または全部の段が狭まる態様とすることも可能であり、本実施の形態に限られるものではない。
【００５６】
中枠開放側枠部２５を板状に形成する場合、横断面を階段状とすることで、高い剛性と曲げおよび座屈強度が得られる。また横断面を階段状にすることで、かかる機械特性を確保しつつも、施錠機構６および外枠３を各段の内部に好適に収納可能であるため、パチンコ機１の正面から見た場合、中枠開放側枠部２５、施錠機構６および外枠３それぞれの厚さの合計よりも遥かに小さな幅寸法によって、機枠および施錠装置を構成することができる。これにより、遊技盤保持空間２１として使用可能な面積を十分に拡大することができる。
【００５７】
さらに、遊技球が転動流下する遊技領域は中枠２の前面側に形成されることが一般的であるところ、中枠開放側枠部２５の階段状の横断面をパチンコ機１の後側から前側に向かって機外方向に広がる方向に形成することによって、遊技領域のさらなる拡大を図ることができ、本発明の目的が好適に達成される。
【００５８】
また、中枠開放側枠部２５の機械特性をさらに向上させるため、その横断面には中空の閉領域２５４ａ，ｂ、段差部２５６、および突起部２５５ａ，ｂを形成している。閉領域２５４ａ，ｂは、階段状断面の両端に近い位置に設けることで中枠開放側枠部２５の局所的な座屈や曲げ変形に対する強度を好適に高めることができるとともに、機枠内部への不正な侵入も防止できる。また閉領域２５４ａを段２５３の前方に形成したことにより、外枠３の前縁を段２５３に収納保持する際に、かかる前縁が段２５３と所定の撃力をもって衝突したとしても、段２５３またはその近傍の損傷を防止できる。かかる閉領域は中実にて形成してもよい。段差部２５６は、第一施錠機構６０より突出するピン頭が中枠開放側枠部２５と干渉しないための逃げの役割と、中枠開放側枠部２５の機械特性を向上するリブの役割とを兼ねるものであり、中枠開放側枠部２５の幅方向に沿って複数本を設けてもよい。
【００５９】
また、突起部２５５ａ，ｂを中枠開放側枠部２５の前後方向に延出することにより、それぞれ中枠２と前枠４、中枠２と外枠３との重なり長さが大きくなるため、やはり器具などを用いての機枠内部への不正な侵入を防止することができる。さらに、パチンコ機１の前側に向かって広がる階段状の横断面形状としたことで中枠開放側枠部２５の後側が内部に入り込む形となるため、パチンコ機１の後側より機枠の内部に侵入することがより困難となる。
【００６０】
中枠開放側枠部２５は機械特性の観点より一般に金属材料よりなるが、かかる階段状かつ中空の閉領域を有する横断面を有することから、押出成形によって成形するとよい。ただし、中枠開放側枠部２５を金属材料から得る場合、板材料の曲げ、削りおよび溶接等の加工を排除するものではない。また、中枠開放側枠部２５の材料としては、例えば機械特性に優れる樹脂複合材料（例えば、ＡＢＳ樹脂）などを一部または全部に使用することも可能であり、金属材料のみに限られるものではない。
【００６１】
次に、本実施の形態における前枠４と中枠２との施錠を補助し、前枠４下部のガタツキを防止するための機構について説明する。図１１（ａ）は、背面側から見た前枠４および中枠２である。ただし簡単のため、前枠４の上下枠部および前面側の部材、ならびに中枠２の下枠部２３および中枠開放側枠部２５を除く部材は図示を省略している。また図１１（ｂ）は前枠およびリンク機構の背面側斜視図であり、同図（ｃ）は、同図（ｂ）に示す円Ｚ部の拡大図である。
【００６２】
第二施錠杆６２５の下端部には、機内方向に突出するように突片６２７が設けられている（図５、図７参照）。突片６２７は、中枠２下部の対応する位置にピン孔２７２を中心として回動自在に設けられたリンク機構２７に対して、突片当接部２７１の下側から当接する。この状態から、施錠機構作動部材７の働きにより突片６２７が中枠開放側枠部２５に沿って上昇することで、リンク機構２７は後方視時計回りに回転する。なお、突片６２７をパチンコ機１の機内方向に好適に突出させるため、中枠開放側枠部２５と、中枠２の下枠部２３にはともに対応する位置に所定の長さを有する切り欠きが設けられている。
また、前枠４の裏面には断面鉤型形状の押え片４６が固設されている。押え片４６の先端はリンク機構２７と係合可能である。なお、前枠４と中枠２とが閉鎖する際に押え片４６の先端が中枠２の下枠部２３の裏側に通出するよう、その先端を収納し、通出させる連通孔２６が中枠２の下部に設けられている（図３参照）。
【００６３】
図１１（ａ）に示す前枠閉鎖状態においては、リンク機構２７は略水平位置にあり、連通孔２６を介して通出した押え片４６の先端とリンク機構２７とは係合している。この状態から、第二施錠杆６２５とともに突片６２７を上方にスライドすると、突片当接部２７１が押し上げられ、ピン孔２７２を中心としてリンク機構２７が後方視時計回りに回転することで、押え片４６との係合が解除される。
一方、第二施錠杆６２５が上方にスライドすると、前枠鉤片６２１ａ，ｂ，ｃもこれと連動して上昇し、前枠４の挿通溝６２３ａ，ｂ，ｃからそれぞれ脱離可能となる。
【００６４】
したがって、前枠４と中枠２との施錠状態においては、前枠鉤片６２１ａ，ｂ，ｃとともに押え片４６によって両機枠は好適に施錠されているが、これらを開錠する際は、シリンダ錠７０の回転操作または指先操作部６２６の押し上げなどにより第二施錠杆６２５を上昇させるのみですべての係合が解除される。
【００６５】
また、本実施の形態にて示すように、開放規制部材６５ａ，ｂおよび閉鎖規制部材６６を第一および第二施錠機構６０，６２と連動させるよう設けることにより、部品点数と設置スペースの削減が図られる。
【００６６】
なお、本発明の目的を達成することのできる遊技機は上記実施の形態には限られない。例えば、遊技機がスロットマシンや、パチンコ球を使用したスロットマシンである場合が挙げられる。また、遊技盤保持空間を備える第一の機枠が前枠または外枠である場合や、第二の機枠が前枠または中枠である場合も想定し得る。また、第一および第二の機枠を開閉自在に組み付けるヒンジも側枠部の上下に配設するほか、下枠部の左右に配設することもできる。さらに施錠機構の駆動方式も、本実施の形態で例示した係合片を連結する施錠杆をカムにより昇降駆動する機械式のもののほか、モーターやソレノイドを駆動力とする電気式のものを使用または併用することもできる。
【００６７】
本実施の形態においては、第一および第二施錠機構６０，６２は、ともに昇降動作する二式の機構から構成する場合を示したが、施錠機構６としてはこのほか、第一の機枠および第二の機枠の開放を規制する機能と、第一の機枠および第三の機枠の開放を規制する機能を有する限り、一式の機構によってこれを実現してもよい。この場合、本発明においては、前者の機能を実現する部分を第一施錠機構６０、後者の機能を実現する部分を第二施錠機構６２と呼ぶものとし、ハードウェアとしての両者が別体であることを要しない。また、第一および第二施錠機構６０，６２が一部の部材を共有することもまた排除するものではない。なお、遊技機の態様によってはこれに替えて、またはこれに追加して、第二の機枠と第三の機枠とを施錠するための他の施錠機構を備えてもよい。
【００６８】
また本発明においては、上記したように、中枠開放側枠部２５の階段状の横断面のうち、いずれかの段の内部に第一および第二施錠機構６０，６２を収納した状態で組み付けることが好適であるところ、第一および第二施錠杆６０５，６２５を薄型の板状とすることが機枠の幅寸法を小さくする観点から好適である。なお、ここでいう板状とは、端部に折り返しなどの面外突出部を有する態様を排除するものではなく、施錠杆が全体に薄型で中枠開放側枠部２５の厚みを抑制できるものという趣旨である。
ここで、さらに第一および第二施錠杆６０５，６２５を、中枠開放側枠部２５に平行な一の平面内に並べた状態で前記段の内部に収納することにより、施錠機構６の厚みをより小さなものとすることができる。すなわち、本実施の形態においては第一および第二施錠杆６０５，６２５が互いに重なった状態で中枠開放側枠部２５に組み付けられているところ、これを横並びの状態で組み付けることにより、段２５３（図５（ｂ）参照）の幅をより小さなものとすることができる。なお、例えばカム７１の第一突片７１１および第二突片７１２の前後方向のオフセット量を十分に大きくすることで、かかる一の平面内に並設された二つの施錠杆をともに駆動することが可能である。また、第一および第二施錠杆６０５，６２５の機能を併せもつ一枚の板カムをシリンダ錠７０等で駆動する方式とすれば、同様に幅寸法の削減の効果を得られるとともに、さらに部品点数の低減も図ることができる。
【図面の簡単な説明】
【００６９】
【図１】本発明の実施の形態にかかる遊技機の正面図である。
【図２】図１の遊技機の開放状態を示す斜視図である。
【図３】本発明の実施の形態にかかる中枠の斜視図である。
【図４】本発明の実施の形態にかかる遊技機の分解斜視図である。
【図５】（ａ）本発明の実施の形態にかかる施錠装置の右斜視図である。（ｂ）図５（ａ）に示す円Ｘ部分の拡大図である。（ｃ）施錠装置の左斜視図である。
【図６】中枠と外枠との施錠の仕組みを示す斜視図である。
【図７】本発明の実施の形態にかかる施錠装置の分解斜視図である。
【図８】施錠装置の機外方向側面図であり、（ａ）中枠閉鎖時を表す。（ｂ）中枠開放操作時を表す。（ｃ）中枠開放時を表す。
【図９】（ａ）図８（ａ）に示す円Ｙ１部分の拡大図である。（ｂ）図８（ａ）に示す円Ｙ２部分の拡大図である。（ｃ）図８（ｂ）に示す円Ｙ３部分の拡大図である。（ｄ）図８（ｂ）に示す円Ｙ４部分の拡大図である。（ｅ）図８（ｃ）に示す円Ｙ５部分の拡大図である。
【図１０】図８（ａ）乃至（ｃ）の透過図である。
【図１１】（ａ）前枠および中枠の背面図である。（ｂ）前枠の背面側斜視図である。（ｃ）図１１（ｂ）に示す円Ｚ部分の拡大図である。
【符号の説明】
【００７０】
パチンコ機    １
中枠    ２
外枠    ３
前枠    ４
施錠装置    ５
施錠機構    ６
施錠機構作動部材    ７
遊技盤    １５
遊技盤保持空間    ２１
中枠開放側枠部    ２５
リンク機構    ２７
外枠開放側枠部    ３５
押え片    ４６
第一施錠機構    ６０
第二施錠機構    ６２
開放規制部材    ６５ａ，６５ｂ
閉鎖規制部材    ６６
シリンダ錠    ７０
カム    ７１
段    ２５２，２５３
係合片    ３５１ａ，３５１ｂ
押圧片    ３５２
中枠鉤片    ６０１ａ，６０１ｂ
前枠鉤片    ６２１ａ，６２１ｂ，６２１ｃ
第一施錠杆    ６０５
第二施錠杆    ６２５
【図１】
0004707532.tif 000002
【図２】
0004707532.tif 000003
【図３】
0004707532.tif 000004
【図４】
0004707532.tif 000005
【図５】
0004707532.tif 000006
【図６】
0004707532.tif 000007
【図７】
0004707532.tif 000008
【図８】
0004707532.tif 000009
【図９】
0004707532.tif 000010
【図１０】
0004707532.tif 000011
【図１１】
0004707532.tif 000012